(57)【要約】　　　（修正有）【課題】どうすれば浮遊具に付いているバルブを傷めず、気体の送風と排気がスムーズに出来るか。又バルブを補強できるか。保護できるか。【解決手段】浮遊具に付いているバルブの中に筒（１１）を挿入して弁を開かせる。筒の先（１３）を反らせることで、弁の開口部を押し下げ、開口部を取ることにより、気体の送風と排気がスムーズに出来る。又補強と保護の場合にはバルブの開口部（１９・２０）の反対側に、半楕円錐形状の小突起物を１ヶ所、もしくは開口部の両端に少し重なるように、２ヶ所とり付ける事により補強が出来る。それに合わせて挿入する筒（１１）にも欠き込み（２４）を入れることで、挿入する筒のガイド（９）の役割も果たす。そして突起物がある為にパイプなど入れづらくなり、弁を保護できる。又従来どおり指で弁をつまんで排気も出来る。【選択図】図５
2004100933.tif 000002
【特許請求の範囲】
【請求項１】
浮遊具のバルブ（送風口・排気口）に筒（１１）を入れ、中の弁を開かせ気体の送風・排気を楽にするもの。
【請求口２】浮遊具のバルブ（送風口・排気口）に、半惰円錐形状の小突起物（２０）をつける事により、開口部分を補強し又保護すること。
又、その形状に合わせ挿入する請求項１の筒（１１）の形状を、わずかに変更するもの。
（イ）　１箇所半惰円錐形状の小突起物を取りつける。
【図８】
（ロ）　２箇所半惰円錐形状の小突起物を取りつける。
【図９】
【発明の詳細な説明】
【００１】
【従来の技術】
従来は足踏み式ポンプなどには送風の為の口先は付いていたが、本考案品とは形状が違い、排気用は特に無いように思われる。従来排気をする時には片手を使い、弁を指でつまみ変形させるか、バルブの中に細い棒状のものを入れたり、直径にほぼあったパイプを深く押し込んだりして弁を傷付けたりしていた。
【００２】
【発明が解決しようとする課題】
バルブの中の弁を補強し又保護し、開口部を確保し、気体の送風と排気をしやすくできないか。
【００３】
【課題を解決する為の手段】
考案した結果である。
（イ）　挿入をする筒の先端（１３）を反らせて、弁を押し下げる
（ロ）　今までのバルブの中に半楕円錐形状の１部分を小突起物（２０）として
、１ヶ所
【図８】に又２ヶ所
【図９】に取りつけて補強と保護の役割をする。
【００４】
【発明の実施の形態】
いかにして、バルブの中の弁を壊さず開口部を確保できるか考案した結果、先端部分全体（１３）はつま先を曲げたような形にし、開口部を押すと、開き始めた弁がわずかに細長く変形しながら開くことに気づき、挿入する筒（１１）の右側と左側（１２）の先端を少し削り、反らせた先端部分全体とともにわずかに楕円形にした。更に最先端部分（１４）をわずかに細く薄くする事で、必要最小限の接地面積で弁を押し下げ開口部が確保できるようになった。挿入する筒（１１）は、わずかに円錐状にして抜けづらくしてある。全体的には人が口を開け、舌を出した形態に落ちついた。
その結果、気体も楽に送風が、又排気が出来る様になり、片手で弁をつまんでいる事無く、両手を使い気体を抜くことが出来る様になった。挿入する筒（１１）の上には深く差し込んで弁を壊さぬようにストッパー（１０）を兼ねた筒（７）を取りつけ、排気口の穴（８）をあけ紛失防止用のリングを取りつける穴（６）をあけリング（５）を取りつけた。最先端部分（１４）が確実に開口部を押すように、バルブのキャップ（３）がつながっている部分（２）に合わせられるように色を付けた目印（１６）とガイド（９）を設けてある。なぜならバルブのキャップ（３）がつながっている部分（２）の反対側に弁の開口部（１９・２１）がある為、位置を決めるのには最適なのである。筒先の開口部の中は気体の流れが良くなるように丸み（１５）を付けてある。排気口の上部を円錐形状のパイプ（１７）にする事により、足踏み式ポンプ又はコンプレッサーなどのホースに接続して送風口にもなる。これはホースからはずすと排気用にも使える。さらに直径を太くして吸引機（携帯用掃除機など）に取りつけると、尚いっそう楽に排気が出来る。
請求項２にあたる小突起物（２０）をつける場合には、１ヶ所
【図８】と２ヶ
所
【図９】付ける場合があるが、１箇所付ける物よりも２箇所つける物のほうが補強される度合いがより強い。なぜなら弁が開く両端に少し重なるように（２３）取り付ける為、バルブの開口部の両端が傷つきずらい。これは弁が開くときに小突起部分が一緒に伸びながらも、開口部の両端を保護しつつ、開口部を確保できるから。小突起物を２ヶ所にする事により、弁の中にパイプ状のものなど入れたりする事が出来づらくなり、弁を保護する。排気も今までどおり、弁を指でつまみ排気も出来る。又これに合わせ挿入する筒（１１）にも半楕円錐形状の部分に合わせ、欠きこみ（２４）を付ける事で、ガイドの役割をすることになり，外付けのガイド（９）を取りさることが出来、外観がすっきりする。排気の穴（８）の上部にあたる筒の部分（７）には、排気を妨げない限り何を装飾し取りつけても良い。
ただし丸みがあり浮遊具本体を傷付けないものが良い。材質は金属系、プラスチック系、練り物系などで良い。
【００５】
【発明の効果】
従来は排気をする為には、片手で弁を押さえているか、バルブに細い棒状の物を入れたり，細いパイプを入れ、傷付けたりしていた。大きめの物を収納するときには２，３人がかりで格闘し、小さいものでも片手が排気口に取られていた。遊び疲れた後は浮遊具をしまうのがとても大変であり億劫であった。それがこの考案した本体を差し込んでおくだけで、ある程度自然に排気され、大きめの浮遊具にはちょっとした重さの物を数カ所に分けて載せ、圧力をかけておくと大半が排気されるようになった。もちろんあとは手などで気体を出すことになるが、遊び疲れた体にはかなり助かることとなる。今までは後片付けのことを考えると憂鬱であり、浮遊具の数を出さず子供たちが奪い合いなどしていたが、悩みが解消されることとなった。
【図面の簡単な説明】
【図１】断面図　（既存のバルブに考案品を挿入したところ）
【図２】正面図
【図３】側面図　（左右対称）
【図４】背面図
【図５】斜視図
【図６】斜視図　（足踏み式ポンプ又はコンプレッサーなどホース等に取り付けて使用するもの。又　排気用になる。）
【図７】断面図　（既存のバルブを閉じた状態に、半楕円形状の小突起物（２０）を１ヶ所取りつけ、弁の中を補強した所）
【図８】バルブを下部から見たところ（小突起物を１ヶ所（２０）取りつけたところ）
【図９】バルブを下部から見たところ（小突起物を２箇所（２０）取りつけたところ。開口部の両端の裂けやすいところに少し重ねて（２３）ある。）
【図１０】斜視図　１部断面図　（既存のバルブに、楕円錐形状の小突起物（２０）を１ヶ所取りつけ弁の中の補強した所）
【図１１】斜視図　（
【図５】からガイド（９）をとり、小突起物（２０）を１箇所（２０）取り付けた場合に合わせ、挿入する筒（１１）に楕円錐形状の欠き込み（２４）を入れたところ）
【図１２】斜視図　（
【図】６からガイド（９）をとり小突起物（２０）を１ヶ所取り付けた場合に合わせ、挿入する筒（１１）に楕円錐形状の欠き込み（２４）を入れたところ。足踏み式ポンプ又はコンプレッサーなどホース等に取り付けて使用できる。又排気用にも使用できる。）
【図１３】斜視図　（
【図５】からガイド（９）をとり、小突起物（２０）を２ヶ所取り付けた場合に合わせ、挿入する筒（１１）に楕円錐形状の欠き込み（２４）を入れたところ）
【図１４】斜視図　（
【図】６からガイド（９）をとり、小突起物（２０）を２ヶ所取り付けた場合に合わせ、挿入する筒（１１）に楕円錐形状の欠き込み（２４）を入れたところ。足踏み式ポンプ又はコンプレッサーなどホース等に取り付けて使用できる。又　排気用にも使用できる。）
【符号の説明】
１　既存のバルブに考案品を挿入した断面図
２　既存のバルブのキヤップがつながっている場所
３　既存のバルブのキヤップ
４　開口部（送風・排気）
５　リング（紛失防止用）
６　リングを取りつける為の穴
７　上部の筒
８　排気用の穴
９　ガイド（より確実に２に合わせる為のもの）
１０　ストッパーの部分
１１　既存のバルブに挿入される筒
１２　楕円形にする為わずかに変形させてある
１３　先端部（弁を開かせる為楕円形にし、反らせてある。）
１４　最先端部（薄くして開口部を多く取る）
１５　気体の流れを良くする為、丸みを付けてある
１６　目印（色を付け２の場所に合わせやすくする為）
１７　ホースに取りつける為円錐状にしてある。
１８　バルブの断面図（スカート部分）
１９　バルブの開口部
２０　小突起物（ガイドの役割と弁の補強を兼ねる）
２１　下部から見てバルブの開口部のある所
２２　下部から見てバルブのスカート状の外周
２３　小突起物（２ヶ所取り付けた場合。開口部の両端に少し重ねて取り付ける。）
２４　欠きこみ（小突起物に合わせ又ガイドの役割をする。）
【図１】
2004100933.tif 000003
【図２】
2004100933.tif 000004
【図３】
2004100933.tif 000005
【図４】
2004100933.tif 000006
【図５】
2004100933.tif 000007
【図６】
2004100933.tif 000008
【図７】
2004100933.tif 000009
【図８】
2004100933.tif 000010
【図９】
2004100933.tif 000011
【図１０】
2004100933.tif 000012
【図１１】
2004100933.tif 000013
【図１２】
2004100933.tif 000014
【図１３】
2004100933.tif 000015
【図１４】
2004100933.tif 000016